(57)【要約】      （修正有）【課題】組み立ての際に過大な騒音を発生しないことにより、工場内組み立てを必要とせず、現場組み立てを実現可能にした、無音組み立て用ダクト構成材及びダクトの無音組み立て装置を提供する。【解決手段】無音組み立て装置は、一方のはぜ折り部を有するダクト板を加圧しながら回転移動可能な加圧ロール２１と、他方のはぜ折り部を有するダクト板の側縁に沿って、鋭角をなして設けられている受け溝１５に入り込んで回転移動可能な、受け支え手段としての受けロール２２とを１組とするロール対を有し、一方のダクト板と他方のダクト板のはぜ折り部１３、１４を、加圧ロール２１と受けロール２２を１組とするロール対によって両側から挟み込むようにして嵌合させ、ロール対をダクト板の側縁に沿って移動させる。【選択図】図５
2007139279.tif 000002
【特許請求の範囲】
【請求項１】
複数個のダクト板から成り、夫々の側縁に設けられている一方のはぜ折り部と、それと嵌合する他方のはぜ折り部との嵌合により角筒状のダクトを組み立てるためのダクト構成材であって、
加圧ロールを使用してダクト板を加圧し、一方のはぜ折り部を他方のはぜ折り部に嵌合させる際に、他方のはぜ折り部を有するダクト板を受け支える受け支え手段が入り込んで移動可能な受け溝を当該ダクト板の側縁に沿って有しており、上記の受け溝は、先端方が加圧ロールに近付くように傾斜し、ダクト板面に直交する方向に対して鋭角をなしていることを特徴とする無音組み立て用ダクト構成材。
【請求項２】
複数個のダクト板は、両方の側縁共に一方のはぜ折り部を設けている一方のダクト板と、両方の側縁共に他方のはぜ折り部を設けている他方のダクト板との２種類を１組とする請求項１記載の無音組み立て用ダクト構成材。
【請求項３】
ダクト板は、並行する２側縁の一方に設けられている一方のはぜ折り部と、２側縁の他方に設けられている他方のはぜ折り部とを有している請求項１記載の無音組み立用ダクト構成材。
【請求項４】
複数個のダクト板から成り、夫々の側縁に設けられている一方のはぜ折り部と、それと嵌合する他方のはぜ折り部との嵌合により組み立てられる角筒状のダクトの組み立て装置であって、
一方のはぜ折り部を他方のはぜ折り部に嵌合させるために、一方のはぜ折り部を有するダクト板を加圧しながら回転移動可能な加圧ロールと、他方のはぜ折り部を有するダクト板の側縁に沿って、先端方が加圧ロールに近付くように傾斜し、ダクト板面に直交する方向に対して鋭角をなして設けられている、受け溝に入り込んで回転移動可能な受け支え手段としての受けロールとを１組とするロール対を有し、加圧ロールを駆動するようにした構成を有するダクトの無音組み立て装置。
【請求項５】
加圧ロールと受けロールは共に駆動されており、かつ同期して回転するように構成されている請求項４記載のダクトの無音組み立て装置。
【請求項６】
加圧ロールと受けロールが複数組並列した構成を有している請求項４記載のダクトの組み立て装置。
【発明の詳細な説明】
【技術分野】
【０００１】
本発明は、複数個のダクト板から成り、夫々の側縁に設けられている一方のはぜ折り部と、それと嵌合する他方のはぜ折り部との嵌合により角筒状のダクトを組み立てるための無音組み立て用ダクト構成材及びダクトの無音組み立て装置に関するものである。
【背景技術】
【０００２】
例えば空調用送風路として用いられるダクトは、ダクト板の側縁に沿って形成されている、はぜ折り部の嵌合により角筒状に組み立てられる。はぜ折り部の構造ではピッツバーグハゼ（或いはピッツバーグシーム、または三井ハゼ）と、ボタンパンチハゼ（或いはスナップロックシーム）が有名である。しかしこれらのはぜは、組み立て時に、板金製品であるダクト板をハンマーで叩くために騒音が激しく、現場では環境悪化のために組み立てられず、工場組み立てに限定されるという問題がある。工場内の騒音は難聴の傷害をひき起こす恐れがある。
【０００３】
これに対し特開平５−１７２２８１号に開示されているダクトのはぜ継手構造及び組立方法によれば、上板及び左右側板を連続的に搬送しながら左右のローラーによって位置合わせし、上下の押圧ローラーによってはぜ継手の押圧装入を行うので、組立作業の能率を向上させることができるものとされている。しかし、このような装置によれば、ダクトのはぜ組み立ては、工場内での作業に限定されることになり、その結果、工場から現場へ、組み立てたダクトを輸送することになるので経費が厖大なものとなる。
【０００４】
【特許文献１】特開平５−１７２２８１号
【発明の開示】
【発明が解決しようとする課題】
【０００５】
本発明は前記の点に着目してなされたもので、その課題は、組み立ての際に過大な騒音を発生せず、従って工場内組み立てを必要とせず、現場組み立てが可能な、無音組み立て用ダクト構成材及びダクトの無音組み立て装置を提供することである。
【課題を解決するための手段】
【０００６】
前記の課題を解決するため、本発明は、複数個のダクト板から成り、夫々の側縁に設けられている一方のはぜ折り部と、それと嵌合する他方のはぜ折り部との嵌合により角筒状のダクトを組み立てるためのダクト構成材について、加圧ロールを使用してダクト板を加圧し、一方のはぜ折り部を他方のはぜ折り部に嵌合させる際に、他方のはぜ折り部を有するダクト板を受け支える受け支え手段が入り込んで移動可能な受け溝を当該ダクト板の側縁に沿って有しており、上記の受け溝は、先端方が加圧ロールに近付くように傾斜し、ダクト板面に直交する方向に対して鋭角をなしているという構成を具備するものである。
【０００７】
ダクト板の側縁に形成されている、一方のはぜ折り部と他方のはぜ折り部は、ピッツバーグハゼとボタンパンチハゼとでは相違するが、本発明のものはボタンパンチハゼに容易に適用することができる。長方形の横断面形状を有するダクトを４個のダクト板で形成する場合、長辺２個と短辺２個の計４個のダクト板が必要になる。複数個のダクト板は、両側縁に一方のはぜ折り部のみを設けている一方のダクト板と、両側縁に他方のはぜ折り部のみを設けている他方のダクト板との２種類から成るものとすると、２種２個計４個が必要になる。請求項２記載の発明は上記のダクト構成材に関するものである。これに対してダクト板の並行する２側縁の一方に設けられている一方のはぜ折り部と、２側縁の他方に設けられている他方のはぜ折り部とを有している構成とすると、１種類のものを４個接ぎ合わせて角筒状のダクトを組み立てることが可能になる。これが請求項３記載のダクト構成材である。
【０００８】
本発明では、ダクト板を加圧して、一方のはぜ折り部を他方のはぜ折り部に嵌合させる際の、加圧ロールによる加圧力を嵌合力に転換するために、他方のはぜ折り部を有するダクト板を、受け支え手段によって受け支えるものとする。加圧ロールと受け支え手段によるはぜ折り部の嵌合作業では、加圧ロールと受け支え手段をダクト板の側縁方向に沿って移動させながら行う。加圧ロールと受け支え手段は一定の位置関係にあり、一方のはぜ折り部と他方のはぜ折り部とを一定の作用力により一様な嵌合状態にする。
【０００９】
よって、本発明のダクト構成材は、ハンマーで叩き込む従来のダクト構成材に比較して無音に近い静粛な作業を実現するものであり、それに加えて外観的にも、一様な仕上がり状態になり、高い品質を備えたものとなる。また、本発明のダクト構成材は、受け支え手段の入り込む受け溝がダクト板に設けられていることによって、他のダクト構成材と外観上区別され、受け溝により強度も向上し、それが本発明のダクト構成材の一つの特徴となる。本発明のダクト構成材は、受け溝によって加圧ロールの力を受け止めるように構成されており、上記の受け溝は、先端方が加圧ロールに近付くように傾斜し、ダクト板面に直交する方向に対して鋭角をなしてこれにより加圧を確実なものとし、また受け支え手段が受け溝から外れる恐れをなくしている。
【００１０】
本発明のダクトの無音組み立て装置は、一方のはぜ折り部を他方のはぜ折り部に嵌合させるために、一方のはぜ折り部を有するダクト板を加圧しながら回転移動可能な加圧ロールと、他方のはぜ折り部を有するダクト板の側縁に沿って、先端方が加圧ロールに近付くように傾斜し、ダクト板面に直交する方向に対して鋭角をなして設けられている、受け溝に入り込んで回転移動可能な受け支え手段としての受けロールとを１組とするロール対を有している。即ち、一方のはぜ折り部と他方のはぜ折り部とは、加圧ロールと受けロールを１組とするロール対によって両側から挟み込むようにして嵌合させ、ロール対をダクト板の側縁に沿って移動させて行くことにより一定の作用力によりスムーズに組み立てることができる。
【００１１】
加圧ロールと受けロールから成るロール対は、その内の加圧ロールを駆動するようにした構成を有するものとする。しかし、加圧ロールが駆動されていることは最少限必要である。さらに、加圧ロール及び受けロールを回転駆動することも可能であり、それにより本装置は加圧ロールを移動手段として自走しながら、前記のはぜ折り部に対する嵌合作業を遂行し得ることとなる。加圧ロールと受けロールとが共に駆動されている場合には、両ロールが同期的に回転することが望ましい。
【００１２】
加圧ロールと受けロールの組は最小限１組でも備わっていれば目的を達成するが、より良好な成果を得るために、加圧ロールと受けロールが複数対並列して設けられていることが望まれる。しかし、ロール対数が多くなり過ぎても抵抗が増し、作業の軽快さが失われるので、数列以内が良く、３列程度が最も望ましい。ロール対は、直線的なダクトのためには、直線状に同径ロール列が並ぶ配列を取る。しかし、カーブしたダクトのためには所定の曲線状に異径ロール列が並ぶ配列を取るものとすることができる。その他、さまざまな態様が可能であり、図示の形態に限られるものではない。
【発明の効果】
【００１３】
本発明は上記のように構成されかつ作用するものであるから、はぜ折り部の嵌合のためにダクト板を叩く必要がないので、過剰な騒音を発生せずに、はぜ折り部の嵌合作業が行えるようになり、作業環境を改善することができるとともに、受け溝はダクト板面に直交する方向に対して鋭角をなしているので、受けロールによる加圧力を確実にダクト板に加えることができ、工場内作業を脱して施工現場又はその付近における作業を可能にするから、工場で組み立てたダクトを現場へ輸送する場合にかかる経費を著しく減少することができ、労力を低減することができるなど、顕著な効果を奏する。
【発明を実施するための最良の形態】
【００１４】
以下図示の実施形態を参照して本発明をより詳細に説明する。図１は複数個のダクト板１１、１１、１２、１２から構成され、夫々の両側縁に一方のはぜおり部１３、１３と、それと嵌合する他方のはぜ折り部１４、１４とが設けられている例１を示す。例示のダクト板１１、１１、１２、１２は、一方のはぜ折り部１３、１３のみを両側縁に有するものと、他方のはぜ折り部１４、１４のみを両側縁に有するものとの、２種２個計４個から成る。一方のはぜ折り部１３は、雄であり、鉤部１６を有していて、他方の雌のはぜ折り部１４に嵌合し、掛け止め部１７と噛み合い、抜け出せない状態となる（図２参照）。
【００１５】
本発明に係るダクト構成材は、他方のはぜ折り部１４を有するダクト板１２を受け支える、受け支え手段が入り込んで移動可能な受け溝１５を当該ダクト板１２の側縁１８に沿って有している。例示の受け溝１５は、他方のはぜ折り部１４を有するダクト板１２の外面から内方へ入り込み、かつ先端方が加圧ロール２１に近付くように傾斜し、ダクト板面に直交する方向に対して鋭角をなして、受け支え手段による嵌合作用が加圧ロール２１との嵌合方向へ誘導されるように図っている。この受け溝１５は、上記ダクト板１４の長手方向に連結して設けられており、かつダクト板１４の側縁からの距離が一定であるように設けられている。
【００１６】
上記のものに対し、図３に示すように、並行する２側縁の一方に一方のはぜ折り部１３を設け、２側縁の他方に他方のはぜ折り部１４を設けた、１種類のダクト構成板の形態を取ることも可能である。この例２では、２側縁の間隔が一定のダクト板１１′を４枚用いると、図４に示すように正方形の断面を持つ角筒状のダクトを形成することができるとともに、平行する２辺の長さの異なる２組４枚のダクト板を用いれば長方形の断面を持つ角筒状のダクトを形成することができる。
【００１７】
例１、例２のどちらを適用するにしても、本発明のダクト構成板は、他方のダクト板１２の他方のはぜ折り部１４に、一方のダクト板１１の一方のはぜ折り部１３を嵌合させる作業を、４箇所のはぜ折り部について行うか、或いは一方のダクト板１１′の一方のはぜ折り部１４に同じ構造を持つ他方のダクト板１１′の他方のはぜ折り部１３を嵌合させる作業を行うことにより角筒状のダクトとして形成される。例１の場合、一方のはぜ折り部１３を有するダクト板１１と、他方のはぜ折り部１４を有するダクト板１２は、図１に示した個々のものを互いに嵌合させ、図２に示した角筒状とすれば良い。例２の場合も同様である。従ってハンマーで叩いても組み立てることはできるが、本発明ではダクトの無音組み立て装置２０を使用することにより、無音に近い状態で組み立て作業を進めることができる。
【００１８】
本発明に係るダクトの無音組み立て装置２０は、一方のはぜ折り部１３を他方のはぜ折り部１４に嵌合させるために、一方のはぜ折り部１３を有するダクト板１１を加圧する加圧ロール２１と、他方のはぜ折り部１４を有するダクト板１２の側縁に沿って設けられている、受け溝１５に入り込んで回転可能な受け支え手段としてフランジ付きの受けロール２２とを１組とするロール対を有する。
【００１９】
加圧ロール２１は、一方のはぜ折り部１３を有するダクト板１１、１１′の板面に接して回転しながら、加圧力を及ぼして、一方のはぜ折り部１３を他方のはぜ折り部１４へ押し込む作用を行うために、円筒ホイール型の外周面形状を有しており、駆動軸２３に結合されている。受けロール２２は、他方のはぜ折り部１４を有するダクト板１２、１１′に設けられた、受け溝１５に入り込んで回転移動する円盤型の外周面形状を有しており、駆動軸２３に対して下向きに４５度傾斜配置された従動軸２４に取り付けられている。従動軸２４は駆動軸２３に歯車２６、２７によって連動し同期回転し、受けロール２２は約４５度斜め上方へダクト板１２、１１′を押し上げるように作用しながら受け溝１５を移動することになる。
【００２０】
駆動軸２３はモーター２５に結合されており、歯車部分はギヤボックス２９の内部に収められている。符号３１は調節レバーであり、加圧ロール２１を固定するために設けられている。また３２は板厚に応じて調節するための調整ボルト、３３は取っ手となるアームであり、本発明に係る装置２０を操作する際に片手を添えるために使用し、他方の手は例えばモーター２５に添える。例示の装置２０は例えば加圧ロール２１と受けロール２２を３対並列した構成を有している（図６、図７参照）。
【００２１】
このように構成されている本発明に係るダクト組み立て装置２０は、例１の場合、他方のはぜ折り部１４を有するダクト板１２の受け溝１５に受けロール２２のフランジ部を嵌め合わせ、かつ一方のはぜ折り部１３を有するダクト板１１の上面に加圧ロール２１を当てがい（図６、図７参照）、ダクト板の側縁１８の方向へ静かに移動させて行く。いまだ嵌合していない一方のはぜ折り部１３は、加圧ロール２１によって加圧されるにつれて他方のはぜ折り部１４に嵌め合わされ、完全な嵌合状態となり、角筒状のダクト１０として完成する。
【００２２】
このように、本発明において、ダクト１０は、ダクト組み立て装置２０をはぜ折り部１３、１４の嵌合箇所に当てがい、ロール２１、２２の回転に従って図４の矢印の方向へ移動させて行くことにより組み立てられる。このためはぜ折り部１３、１４を叩き込む騒音は発生せず、モーター２８及びギヤ音と、はぜ折り部１３、１４が嵌まり合う擦れ音が発生するだけであり、作業は静粛に進行する。
【図面の簡単な説明】
【００２３】
【図１】本発明に係るダクトの例１を示す組み立て前の横断面図。
【図２】同じく組み立てられたダクトの横断面図。
【図３】同じく例２を示す組み立て前の横断面図。
【図４】同じく組み立てられたダクトの横断面図。
【図５】同じくダクト組み立て装置とダクトを示す横断面図。
【図６】同上装置による組み立て状態を示す側面図。
【図７】同じく横断面図。
【符号の説明】
【００２４】
１０  本発明に係るダクト
１１、１２、１１′  ダクト板  
１３  一方のはぜ折り部
１４  他方のはぜ折り部
１５  受け溝
１６  鉤部
１７  掛け止め部
１８  側縁
２０  本発明に係るダクトの組み立て装置
２１  加圧ロール
２２  受けロール
２３  駆動軸
２４  従動軸
２５  モーター
２６、２７  歯車
【図１】
2007139279.tif 000003
【図２】
2007139279.tif 000004
【図３】
2007139279.tif 000005
【図４】
2007139279.tif 000006
【図５】
2007139279.tif 000007
【図６】
2007139279.tif 000008
【図７】
2007139279.tif 000009